(57)【要約】      （修正有）【課題】容易に、区画内を隙間なく締固めることができる無機廃棄物用締固め装置を提供する。【解決手段】無機廃棄物を含む盛土材を埋め立てて得られる圧密成形体を製造するために用いる無機廃棄物用締固め装置１は、転圧面が矩形の平板な板状に形成された転圧板１０ａと、転圧板１０ａを振動させる油圧モータ１０ｂを有する起振部１０とを備える。【選択図】図２
0003186480.tif 000002
【実用新案登録請求の範囲】
【請求項１】
無機廃棄物を含む盛土材を埋め立てて得られる圧密成形体を製造するために用いる無機廃棄物用締固め装置であって、
転圧面が矩形の平板な板状に形成された転圧板と、前記転圧板を振動させる動力源を有する起振部とを備えたことを特徴とする無機廃棄物用締固め装置。
【請求項２】
請求項１に記載の無機廃棄物用締固め装置であって、
油圧ショベルのアームの先端に着脱自在に取り付け可能であり、前記起振部に接続された支持部を備えたことを特徴とする無機廃棄物用締固め装置。
【考案の詳細な説明】
【技術分野】
【０００１】
本考案は、最終処分場において、無機廃棄物を含む盛土材を埋め立てて得られる圧密成形体を製造するために用いる無機廃棄物用締固め装置に関する。
【背景技術】
【０００２】
従来、廃棄物の埋立処分を行う最終処分場は、日本では、廃棄物の処理及び清掃に関する法律に定められた構造基準と維持管理基準に基づいて設置・運営される。その最終処分場に運び込まれた廃棄物は、同法に定められた廃棄物の区分に従って埋立処分される。
【０００３】
本願考案者は、そのような埋立処分を行う区画内にセメントと無機廃棄物を混練した盛土材を用いてセメント固化物を形成し、最終的には区画全体をそのセメント固化物により、強固な再生地盤として圧密成形体を得る技術を開示している（特許文献１参照）。
【０００４】
その技術において、圧密成形体は、埋立処分を行う区画内に鉄板や仮設堰堤等によって単位区画を形成し、その単位区画内に盛土材の投入と圧縮を繰り返して単位圧密成形体を形成し、その単位圧密成形体を水平方向、さらに垂直方向に展開していくことによって得ることができる。
【０００５】
その単位圧密成形体の形成において、盛土材の圧縮は、油圧ショベルのアームに取り付けられたバケットで打設を行うことによって行われていた（例えば、特許文献２参照）。
【０００６】
しかしながら、そのようなバケットを用いた打設による圧縮は、発生する騒音や振動が非常に大きい。そこで、騒音や振動を抑制するために、油圧振動機等の振動で転圧面を振動させる締固め装置（例えば、特許文献３）を用いて、圧縮を行うという方法が考えられる。
【先行技術文献】
【特許文献】
【０００７】
【特許文献１】特許第４３１７２６０号公報
【特許文献２】特開２００７−２３１６８５号公報
【特許文献３】特開２００５−１６３２８３号公報
【考案の概要】
【考案が解決しようとする課題】
【０００８】
しかし、従来の締固め装置は、平坦な地面を広範囲に亘って締固めるために製造されたものであり、鉄板や仮設堰堤等によって区切られた単位区画内に投入された盛土材を圧縮するために製造されたものではないので、単位区画内の盛土材を、単位区画の周縁部分まで、隙間なく締固めることが難しいという問題があった。
【０００９】
本考案は以上の点に鑑みてなされたものであり、容易に、区画内を隙間なく締固めることができる無機廃棄物用締固め装置を提供することを目的とする。
【課題を解決するための手段】
【００１０】
上記目的を達成するために、本考案の無機廃棄物用締固め装置は、無機廃棄物を含む盛土材を埋め立てて得られる圧密成形体を製造するために用いる無機廃棄物用締固め装置であって、転圧面が矩形の平板な板状に形成された転圧板と、前記転圧板を振動させる動力源を有する起振部とを備えたことを特徴とする。
【００１１】
このように、本考案の無機廃棄物用締固め装置においては、転圧面の形状が、従来の締固め装置のような両端が湾曲した形状ではなく、平板な板状に形成されている。そして、単位圧密成形体を形成するための単位区画は、鉄板や仮設堰堤等の仮枠によって、通常は、矩形に形成される。
【００１２】
そのため、本考案の無機廃棄物用締固め装置によれば、装置の向きを変更することなく、容易に単位区画内を隙間なく締固めることができる。
【００１３】
また、本考案の無機廃棄物用締固め装置においては、油圧ショベルのアームの先端に着脱自在に取り付け可能であり、起振部に接続された支持部を備えることが好ましい。
【００１４】
このような支持部を備えていれば、装置を油圧ショベルのアームに取り付けるアタッチメントの一つとして構成することができる。その結果、油圧ショベルを用いて、容易に、締固め作業を行うことができる。
【図面の簡単な説明】
【００１５】
【図１】本考案の実施形態に係る無機廃棄物用締固め装置を取り付けた油圧ショベルの概略図。
【図２】本実施形態に係る無機廃棄物用締め方装置の構成を示す概略図であり、（ａ）は斜視図、（ｂ）は側面図である。
【考案を実施するための形態】
【００１６】
以下、図１及び図２を参照して、本考案の無機廃棄物用締固め装置の実施形態を説明する。
【００１７】
まず、図１を参照して、本実施形態に係る無機廃棄物用締固め装置を取り付けたバックホーについて説明する。
【００１８】
図１に示すように、最終処分場において無機廃棄物を含む単位圧密成形体の締固めを行うために用いられる無機廃棄物用締固め装置１は、油圧ショベルであるバックホー２に取り付けられる。
【００１９】
具体的には、無機廃棄物用締固め装置１は、バックホー２のアーム２０の先端をその揺動方向に対して垂直に貫く貫通孔に取り付けられた第１ピン２１により枢支されると共に、シリンダ２２に連結されたリンク２３の先端に、第１ピン２１と平行に取り付けられた第２ピン２４により枢支される。
【００２０】
最終処分場において、バックホー２は、既に無機廃棄物を含む地面が締固めされた盛土Ｘに敷かれた鉄板Ｙ上に位置する。そして、バックホー２の操作者は、バックホー２に取り付けられた無機廃棄物用締固め装置１を用いて、鉄板Ｙや仮設堰堤等の仮枠Ｚによって形成された単位区画に投入された無機廃棄物を含む盛土材Ｗを圧縮して締固める。
【００２１】
次に、図２を参照して、本実施形態に係る無機廃棄物用締固め装置１の構成について説明する。
【００２２】
図２に示すように、本実施形態の無機廃棄物用締固め装置１は、油圧ショベルであるバックホー２のアーム２０に対して、着脱自在なアタッチメントとして構成されている。
【００２３】
そして、無機廃棄物用締固め装置１は、盛土材Ｗに振動を加えて締固める起振部１０と、その起振部１０と接続されるとともに、バックホー２のアーム２０の先端に着脱自在に取り付けられた支持部１１とを備えている。
【００２４】
起振部１０は、転圧板１０ａと、転圧板１０ａを振動させる動力源である油圧モータ１０ｂとを有している。
【００２５】
転圧板１０ａは、鋼鉄製であり、盛土材Ｗに接触する転圧面が矩形の平板な板状に形成されている。
【００２６】
油圧モータ１０ｂは、バックホー２から伝達される油圧力によって駆動し、転圧板１０ａの転圧面を上下方向に振動させて、盛土材Ｗに振動を加える。
【００２７】
支持部１１は、鋼鉄製であり、起振部１０に接続された一対の第１取付ブラケット１１ａと、その上側に立設された一対の第２取付ブラケット１１ｂとを有する。
【００２８】
第２取付ブラケット１１ｂには、バックホー２のアーム２０の先端に取り付けられた第１ピン２１が貫通して軸支される第１軸受１１ｃと、バックホー２のリンク２３の先端に取り付けられた第２ピン２４が貫通して軸支される第２軸受１１ｄとが形成されている。
【００２９】
次に、図１及び図２を参照して、本実施形態の無機廃棄物用締固め装置１の使用方法について説明する。
【００３０】
まず、図１に示すように、最終処分場において、バックホー２のキャビン内の運転席に着席した操作者は、操縦レバー（図示省略）を操作することにより、無機廃棄物用締固め装置１で仮枠Ｚによって形成された単位区画に投入された無機廃棄物を含む盛土材Ｗを締固める。
【００３１】
具体的には、まず、バックホー２の操作者は、アーム２０を介して無機廃棄物用締固め装置１を、圧縮を行う位置まで移動させる。その後、無機廃棄物用締固め装置１を盛土材Ｗの上に下ろす。その後、バックホー２から油圧力を伝達して、油圧モータ１０ｂを駆動し、転圧板１０ａを上下に振動させて、盛土材Ｗに振動を伝達する。そして、伝達された振動によって、盛土材Ｗが締固められる。
【００３２】
そして、ある位置において締固め作業が終了した場合には、無機廃棄物用締固め装置１を次の締固め作業を行う位置へそのまま水平移動させるのではなく、一旦、アーム２０を介して上方へ移動させた後、水平移動させて、再度、盛土材Ｗの上に下ろして、次の締固め作業を行う。
【００３３】
このように、圧密成形体を形成する締固め作業においては、締固め作業をしながら水平移動をする必要はないので、従来の締固め装置のように、水平移動をしやすくするために転圧板の転圧面の両端を湾曲させる必要はない。
【００３４】
また、圧密成形体を形成する締固め作業を行う単位区画は、鉄板や仮設堰堤等の仮枠Ｚによって、通常は、矩形に形成されている。
【００３５】
したがって、従来の締固め装置のように転圧板の転圧面の両端が湾曲した形状になっている場合、単位区画の周縁部においても隙間なく締固め作業を行うためには、バックホー２を移動させて、湾曲した部分の向きを変更しなければならない。
【００３６】
そこで、本実施形態の無機廃棄物用締固め装置１では、図２に示すように、転圧板の転圧面を矩形の平板な板状に形成している。
【００３７】
そのため、本実施形態の無機廃棄物用締固め装置１によれば、装置の向きを変更することなく、容易に単位区画内を隙間なく締固めることができる。
【００３８】
以上、図示の実施形態について説明したが、本考案はこのような形態に限られるものではない。
【００３９】
例えば、上記実施形態においては、本考案の無機廃棄物用締固め装置１を、油圧ショベルであるバックホー２のアーム２０の先端に取り付けるアタッチメントとして構成している。
【００４０】
しかし、本考案の無機廃棄物用締固め装置は、そのような構成に限定されるものではなく、単体で駆動する独立した締固め装置として構成してもよい。
【符号の説明】
【００４１】
１…締固め装置、１０…起振部、１０ａ…転圧板、１０ｂ…油圧モータ（駆動源）、１１…支持部、１１ａ…第１取付ブラケット、１１ｂ…第２取付ブラケット、１１ｃ…第１軸受、１１ｄ…第２軸受、２…バックホー（油圧ショベル）、２０…アーム、２１…第１ピン、２２…シリンダ、２３…リンク、２４…第２ピン、Ｘ…盛土、Ｙ…鉄板、Ｚ…仮枠、Ｗ…無機廃棄物含む盛土材（圧密成形体）。
【図１】
0003186480.tif 000003
【図２】
0003186480.tif 000004